(57)【要約】【課題】各種の映像ソースを受像する場合においても、常に平均輝度と画質を向上させる映像信号処理装置を提供することを目的とする。【解決手段】プラズマディスプレイパネルの維持放電パルス数を制御して輝度を制御する輝度制御部５と、入力映像信号の平均レベルを検出するレベル検出部４と、プラズマディスプレイパネル７の駆動部６における維持放電電流を検出する維持放電電流検出部８とを有し、入力映像信号のレベルと駆動部６の電流に応じ、輝度制御部５において、輝度と電力を適応型に制御することにより、映像シーンに応じて急激な階調や輝度変化が発生することなく、限られた階調数の中で平均輝度の向上を実現することができる。【選択図】  図１
2005024609.tif 000002
【特許請求の範囲】
【請求項１】
入力映像信号を所定の走査線数を有する信号に走査変換する走査変換手段と、前記走査変換手段からの信号に応じてプラズマディスプレイパネルの維持放電パルス数を制御して輝度を制御する輝度制御手段と、前記輝度制御手段からの信号でプラズマディスプレイパネルを駆動する駆動手段とを有し、前記駆動手段からの電力情報を前記輝度制御手段に帰還させて、常に消費電力が一定となるように制御したことを特徴とする映像信号処理装置。
【請求項２】
駆動手段は、プラズマディスプレイパネルの維持放電のための電流を検出し、この情報により常に消費電力が一定となるように制御したことを特徴とする請求項１記載の映像信号処理装置。
【発明の詳細な説明】
【０００１】
【発明の属する技術分野】
本発明は、プラズマディスプレイの映像信号処理装置に関し、特に平均輝度と画質を向上させる映像信号処理装置に関するものである。
【０００２】
【従来の技術】
従来、プラズマディスプレイの階調補正を行う装置としては、特許文献１に記載のように輝度分布のダイナミックレンジの範囲における広がり過ぎを防止して、映像の輝度分布の偏り具合に応じて最適な階調補正を行う方式が提案されている。
【０００３】
なお、この出願の発明に関連する先行技術文献情報としては、例えば、特許文献１が知られている。
【０００４】
【特許文献１】
特開平１１−１３０７２５号公報
【０００５】
【発明が解決しようとする課題】
しかしながら、上記のような構成ではルックアップテーブルメモリなどが必要となるためシステムが複雑になり、コストが上がるとともに、映像シーンに応じて急激な階調変化と輝度変化が頻繁に発生するといった問題を有していた。
【０００６】
本発明はこのような点に鑑みなされたもので、入力映像信号のレベルに応じて自動的に輝度や電力を制御することにより、簡単な構成で平均輝度の向上を実現することを目的とする。
【０００７】
【課題を解決するための手段】
この課題を解決するために本発明は、入力映像信号を所定の走査線数を有する信号に走査変換する走査変換手段と、前記走査変換手段からの信号に応じてプラズマディスプレイパネルの維持放電パルス数を制御して輝度を制御する輝度制御手段と、前記輝度制御手段からの信号でプラズマディスプレイパネルを駆動する駆動手段とを有し、前記駆動手段からの電力情報を前記輝度制御手段に帰還させて、常に消費電力が一定となるように制御したものである。
【０００８】
すなわち本発明は、入力映像信号と駆動手段からの電力情報に基づいてプラズマディスプレイパネルの維持放電パルス数を制御して輝度と電力を自動的に制御する手段を備えたものであり、映像シーンに応じて急激な階調や輝度変化が発生することなく、限られた階調数の中で平均輝度の向上が実現できる。
【０００９】
【発明の実施の形態】
以下、本発明の一実施の形態について、図面を用いて説明する。
【００１０】
図１は本発明の一実施の形態によるプラズマディスプレイの映像信号処理装置におけるブロック図であり、図１において、１は入力映像信号の入力端子、２はアナログ信号をデジタル信号に変換するためのＡ／Ｄ変換部、３はＡ／Ｄ変換された入力映像信号をプラズマディスプレイパネルの画素に対応した信号に変換するための走査変換手段としての走査変換部、４は入力映像信号の平均レベル（ＡＰＬ）を検出するレベル検出部、５はレベル検出部４からの情報に応じて倍数モードやサブフィールド数を変化させて輝度制御を実現するための輝度制御手段としての輝度制御部、６は表示デバイスであるプラズマディスプレイパネル（ＰＤＰ）７を駆動する駆動手段としての駆動部、８は駆動部６における維持放電電流を検出する維持放電電流検出部で、この電流情報は輝度制御部５に送られ、電力制御を行うものである。
【００１１】
以上のように構成された本実施の形態の映像信号処理装置について、以下その動作を説明する。
【００１２】
入力端子１に図２（ａ）に示す１００ＩＲＥの黒窓信号（水平振幅の１０％、垂直振幅の１０％のウインドウ信号でＡＰＬ＝９９％相当）が入力されると、その信号はＡＰＬ＝９９％が検出され、輝度制御部５は放電パルスの回数を減少させて、図２（ｃ）の発光特性のＡ部に示すように輝度を抑制する。
【００１３】
また、図２（ｂ）に示す１００ＩＲＥの白窓信号（水平振幅の１０％、垂直振幅の１０％のウインドウ信号でＡＰＬ＝１％相当）が入力されると、その信号はＡＰＬ＝１％が検出され、輝度制御部５では放電パルスの回数を増加させて、図２（ｃ）の発光特性のＢ部に示すように輝度を向上させる。図２（ｃ）の輝度特性において、破線は従来の放電回数を固定にした場合、実線は本発明のように、ＡＰＬに応じて維持放電パルス数を変化（倍数モードやサブフィールド数を変化）させて輝度制御した場合の特性であり、高ＡＰＬでの輝度を制御し、低ＡＰＬでの輝度を向上させている。
【００１４】
また、図２（ｄ）は電力特性を示す図で、破線は従来の特性、実線は本発明の特性を示している。この図２（ｄ）に示すように本発明のように輝度制御を行うことにより、効果的な電力制御が行われ、常に一定の電力になる。
【００１５】
次に、ＡＰＬに応じて維持放電パルス数を変化（倍数モードやサブフィールド数を変化）させて輝度制御を行う動作について図３を用いて説明すると、図３のＢ部に示すＡＰＬ＝１％に相当する白窓信号が供給された場合は、駆動波形としては高倍数モードの動作となるため、「８」のサブフィールド（ＳＦ）数で構成される。
【００１６】
一方、図３のＡ部に示すＡＰＬ＝９９％に相当する黒窓信号が供給された場合は、駆動波形としては低倍数モードの動作となるため、「１０」のＳＦ数で構成される。このように、低ＡＰＬ時は倍数モードを上げて高輝度化を図り、高ＡＰＬ時は倍数モードを下げて低電力化を図るように、輝度制御が行われている。
【００１７】
さらに、低ＡＰＬ時ではＳＦ数を減少させ、高ＡＰＬ時ではＳＦ数を増加させて輝度制御を行うことにより、コントラスト比も向上できるため、高画質化も同時に実現することができる。
【００１８】
次に、本発明における電力制御について説明すると、図１に示すように、走査変換部３からの信号はレベル検出部４に供給され、入力信号の平均レベル（ＡＰＬ）を検出し、この信号に応じて輝度制御部５で輝度制御を行う。一方、駆動部６の維持放電電流検出部８からの電流検出信号も輝度制御部５に供給され、この電流情報に応じて電力制御を行う。
【００１９】
図４はこの輝度制御部５における制御パターンを示す図であり、この図４に示すように、レベル検出信号に応じて高速応答での輝度制御を行い、また電流検出信号に応じて低速応答での電力制御を適応型に行うものである。すなわち、このように制御することにより、映像シーンの急激な変化に発生する階調変化と輝度変化を極力抑えることができる。
【００２０】
以上のように本実施の形態によれば、入力映像信号のレベル情報とＰＤＰの駆動部からの電流情報に基づいて維持放電パルス数を変化させて輝度と電力を制御し、この信号でＰＤＰを駆動することにより、限られた消費電力の中で明るい画像表示と良好な階調性が実現できる。また、電力調整用のルックアップテーブルメモリなどが不要であるため、簡単な構成で実現できる。
【００２１】
【発明の効果】
以上のように本発明の映像信号処理装置によれば、入力映像信号のレベルと駆動系の電流に応じて輝度と電力を制御する制御手段を備えたものであり、映像シーンに応じて急激な階調や輝度変化が発生することなく、限られた階調数の中で平均輝度の向上を実現することができる。また、パネル画素数や仕様が異なる場合であっても、自動的に帰還型での電力制御が可能であるため、簡単な構成で実現できるという効果が得られる。
【図面の簡単な説明】
【図１】本発明の一実施の形態による映像信号処理装置を示すブロック図
【図２】同装置の動作を説明するための画面と動作特性を示す図
【図３】同じく動作を説明するための動作特性図
【図４】本発明の装置における動作制御パターンを示す図
【符号の説明】
２  Ａ／Ｄ変換部
３  走査変換部
４  レベル検出部
５  輝度制御部
６  駆動部
７  プラズマディスプレイパネル（ＰＤＰ）
８  維持放電電流検出部
【図１】
2005024609.tif 000003
【図２】
2005024609.tif 000004
【図３】
2005024609.tif 000005
【図４】
2005024609.tif 000006